(57)【要約】【課題】    ランダムアクセスが生じた場合においても、所望のシーンの映像から正しく再生を行うことのできるデジタルデータ記録再生装置を提供する。【解決手段】  フレームあるいはフィールドの相関を利用して複数のフレームあるいはフィールドを圧縮単位としてデータ圧縮を施し、パケット形式としたデータを記録し、再生する記録再生部１０７と、記録再生部から再生されたデータをデコードして映像および音声を再生するデコーダ１０３と、ユーザ操作を受け付ける操作部１０６と、記録再生部、デコーダおよび操作部を制御し、且つ操作部からの指示に基づき再生するシーンの少なくとも開始点を表すデータをコンテンツ管理情報として記録するシステム制御部１０５とを備え、前記デコーダ１０３は、再生するシーンの開始点であるフレームあるいはフィールドが含まれる前記圧縮単位を、その先頭からデコードし、その表示はデコードされたフレームあるいはフィールドのうちの開始点であるフレームあるいはフィールドから行う。【選択図】  図１
2006049988.tif 000002
【特許請求の範囲】
【請求項１】
フレームあるいはフィールドの相関を利用して複数のフレームあるいはフィールドを圧縮単位としてデータ圧縮を施し、パケット形式としたデータを記録し、再生する記録再生部と、
記録再生部から再生されたデータをデコードして映像および音声を再生するデコーダと、  ユーザ操作を受け付ける操作部と、
記録再生部、デコーダおよび操作部を制御し、且つ操作部からの指示に基づき再生するシーンの少なくとも開始点を表すデータをコンテンツ管理情報として記録するシステム制御部とを備え、  
前記デコーダは、再生するシーンの開始点であるフレームあるいはフィールドが含まれる前記圧縮単位を、その先頭からデコードし、その表示はデコードされたフレームあるいはフィールドのうちの開始点であるフレームあるいはフィールドから行うことを特徴とするデジタルデータ記録再生装置。
【請求項２】
請求項１記載のデジタルデータ記録再生装置において、
シーンの終了点を表すデータをコンテンツ管理情報として記録することを特徴とするデジタルデータ記録再生装置。
【請求項３】
請求項１記載のデジタルデータ記録再生装置において、
デコーダはデコード用のバッファメモリおよび表示用のバッファメモリを備えることを特徴とするデジタルデータ記録再生装置。
【請求項４】
請求項３記載のデジタルデータ記録再生装置において、
デコード用のバッファメモリに格納されたデコード済みのフレームあるいはフィールドのうち、開始点であるフレームあるいはフィールド以後のデコード済みデータを表示用のバッファメモリに転送することを特徴とするデジタルデータ記録再生装置。
【請求項５】
請求項１記載のデジタルデータ記録再生装置において、
映像フレームあるいはフィールドの特定は、映像フレームあるいはフィールドに付加された時間情報によることを特徴とするデジタルデータ記録再生装置。
【請求項６】
請求項１記載のデジタルデータ記録再生装置において、
映像フレームあるいはフィールドの特定は、映像フレームあるいはフィールドに番号を付加し、該付加した番号情報によることを特徴とするデジタルデータ記録再生装置。
【請求項７】
請求項１記載のデジタルデータ記録再生装置において、
記録再生部は記録したデータを分割するファイル分割管理部を備え、ファイル分割管理部は操作部からの分割点を表すデータをもとにファイルを分割し、且つ分割点を含む圧縮単位を分割点の前側ファイルおよび後側ファイルの双方に含まれるように管理ファイル情報を操作することを特徴とするデジタルデータ記録再生装置。
【請求項８】
請求項１記載のデジタルデータ記録再生装置において、
記録再生部は記録したデータを分割するファイル分割処理部を備え、ファイル分割処理部は操作部からの分割点を表すデータをもとにファイルを分割し、且つ分割点を含む圧縮単位を分割点の前側ファイルおよび後側ファイルの双方に含まれるように前記圧縮単位データを複製したファイルを作成することを特徴とするデジタルデータ記録再生装置。
【請求項９】
請求項８記載のデジタルデータ記録再生装置において、
複製された前記圧縮単位データの再生時間とファイル分割数の積が所定値を越えないようにファイル分割数を制限することを特徴とするデジタルデータ記録再生装置。
【請求項１０】
フレームあるいはフィールドの相関を利用して複数のフレームあるいはフィールドを圧縮単位としてデータ圧縮を施し、パケット形式としたデータを記録し、再生する記録再生方法であって、
記録再生部から再生されたデータをデコードして映像および音声を再生するステップと、  ユーザ操作を受け付けるステップと、
操作部からの指示に基づき再生するシーンの少なくとも開始点を表すデータをコンテンツ管理情報として記録するステップと、
再生するシーンの開始点であるフレームあるいはフィールドが含まれる前記圧縮単位を、その先頭からデコードし、その表示はデコードされたフレームあるいはフィールドのうちの開始点であるフレームあるいはフィールドから行うステップを備えたことを特徴とするデジタルデータ記録再生方法。
【発明の詳細な説明】
【技術分野】
【０００１】
本発明は、デジタルデータ記録再生技術に係り、特に記録したデジタルデータを指定した所望の位置から表示することのできる記録再生技術に関する。
【背景技術】
【０００２】
映像や音声をデジタルデータに変換し、変換したデータのデータ量をデジタルデータ圧縮技術により削減する技術が広く用いられている。代表的なものとして、ＭＰＥＧ（Moving Picture Experts Group）方式と呼ばれる圧縮方式が知られている。このようなデジタルデータ圧縮技術を用いることにより、高画質な映像を放送したり、蓄積したりすることができる。
【０００３】
このようなデジタルデータを記録再生する記録再生装置として、磁気ディスク（ＨＤ）、光ディスク、あるいは半導体メモリを用いた記録再生装置など、多様な記録再生装置が出現した。特に、磁気ディスクを用いた記録再生装置（ＨＤＤ）は大容量で、且つメディアへのランダムアクセスが可能であるため、映像データの記録に適している。また、所望の場面を呼び出したり、高速サーチを行ったりすることが容易であり、使い勝手がよい。
【０００４】
ところで、ＭＰＥＧ方式では、前後の画像（フレーム）の相関性を利用してデータ圧縮を行っている。一般的には１５枚程度の画像をひとまとまりにしてデータ圧縮を行うことが多い。このデータのまとまりをＧＯＰ（Group Of Pictures）と呼ぶ。ランダムアクセスを行う場合にも、ＧＯＰの先頭からデータ再生を行うことにより、再生されたデータの先頭よりデータを復元することができる。
【０００５】
例えば、特許文献１には、このようなランダムアクセスを実現するため、ＭＰＥＧ方式のデータを記録媒体に記録する際に、予めＧＯＰが記録された位置をリストとして登録しておき、再生時にランダムアクセスが発生した場合には、このＧＯＰ位置のリストに登録されているＧＯＰ先頭位置から再生を始めるように制御を行ない、さらに、この再生するための映像や音声のデータパケットを識別するための識別子や付加情報をファイル情報として別に記録したものから取得することによりランダムアクセス後のデコードにかかる時間を短縮することが示されている。
【特許文献１】特開２００３−２８４００２号公報
【発明の開示】
【発明が解決しようとする課題】
【０００６】
しかしながら、前記特許文献に示される方法では、所望のシーン（一場面）の映像から再生できない場合が生じる。ＧＯＰとしてひとまとまりに扱う画像は、シーンの先頭とは無関係に選択されてデータ圧縮されるからである。したがって、所望するシーンの映像から再生を行おうとしても、そのシーンを含むＧＯＰの先頭から映像をデコードしなければ所望のシーンの映像はデコードできないことになる。このため、所望のシーンとは異なるシーンから映像が再生され、表示されてしまう。
【０００７】
本発明は、これらの問題点に鑑みてなされたもので、場面スキップあるいは高速サーチなどのランダムアクセスが生じた場合において、所望のシーンの映像から正しく表示を行うことのできるデジタルデータ記録再生装置を提供するものである。
【課題を解決するための手段】
【０００８】
本発明は上記課題を解決するため、次のような手段を採用した。
【０００９】
フレームあるいはフィールドの相関を利用して複数のフレームあるいはフィールドを圧縮単位としてデータ圧縮を施し、パケット形式としたデータを記録し、再生する記録再生部と、記録再生部から再生されたデータをデコードして映像および音声を再生するデコーダと、ユーザ操作を受け付ける操作部と、記録再生部、デコーダおよび操作部を制御し、且つ操作部からの指示に基づき再生するシーンの少なくとも開始点を表すデータをコンテンツ管理情報として記録するシステム制御部とを備え、前記デコーダは、再生するシーンの開始点であるフレームあるいはフィールドが含まれる前記圧縮単位を、その先頭からデコードし、その表示はデコードされたフレームあるいはフィールドのうちの開始点であるフレームあるいはフィールドから行う。
【発明の効果】
【００１０】
本発明は、以上の構成を備えるため、場面スキップあるいは高速サーチなどのランダムアクセスが生じた場合においても、所望のシーンの映像から正しく表示を行うことできる。
【発明を実施するための最良の形態】
【００１１】
以下、最良の実施形態を添付図面を参照しながら説明する。図１は、本発明の実施形態に係るデジタルデータ記録再生装置を説明する図である。図において、１０１は入力端子であり、パケット形式に圧縮・多重化されたデジタルデータが入力される。１０２は多重分離部であり、多重化されたデジタルデータから映像データ、音声データあるいは制御データのパケットを分離する。１０３はデコーダであり、多重分離部１０２で分離された映像及び音声データをデコードして元の映像及び音声信号に復号する。１０４はデコード用バッファ及び表示用バッファであり、それぞれデコーダ１０３が復号処理及び映像表示するために用いる。１０５はシステム制御部であり、デジタルデータ記録再生装置を制御する。１０６は操作部であり、ユーザはこの操作部を操作してデジタルデータ記録再生装置を操作する。１０７は記録再生部を形成するＨＤＤであり、パケット形式に圧縮・多重されたデジタルデータを記録・再生する。１０８は再生フレーム管理手段であり、デコードし再生する映像フレームを管理する。
【００１２】
図２は、ＭＰＥＧ方式によるデータ圧縮及びデコード処理を説明する図である。図２は映像信号のデータ圧縮の例を示したものであり、フレーム内でデータ圧縮されるＩ（Intra）ピクチャ、以前の映像フレームとの相関を利用してデータ圧縮されるＰ（Predictive）ピクチャ、前後の映像フレームとの相関を利用してデータ圧縮されるＢ（Bidirectionally-predictive）ピクチャがある。
【００１３】
図の例では、Ｉピクチャ２０１から次のＩピクチャ２１２の前のＢピクチャ２１１までからなる１１枚の映像フレームを１つの圧縮の単位とする。すなわち、この１１枚の映像フレームからなるデータを圧縮単位としてデータ圧縮を繰り返すことになる。このように圧縮符号化されたピクチャデータを伝送する場合、フレームデータの送信順序は図３に示すように並び替える。これにより、デコーダにおける復号処理に必要なメモリ容量を低減することができる。
【００１４】
図３は、フレームデータの送信順序の並び替えを説明する図である。図において、３０１は並び替え前のフレームデータ（時系列順のフレームデータ）、３０２は並び替え後のフレームデータを示す。
【００１５】
例えば、デジタルデータ３０１のＢ１フレームに着目すると、このＢ１フレームをデコードするためにはＩ１フレームとＰ１フレームのデータが必要であり、従って、本来Ｂ１フレームより時間的に後であるＰ１フレームのデータをＢ１フレームよりも前に並び替えている。このように並び替えたデジタルデータ３０２において、Ｉ１からＢ５までの映像フレームデータを一括りの圧縮単位とし、ＧＯＰと定義している。
【００１６】
このようなデータ圧縮は機械的に行われるため、Ｉフレームからの映像データの圧縮単位と映像シーンとの間には関連性はなく、従って、映像シーンの先頭がＩフレームとなるとは限らない。また、ユーザが視聴したいシーンの頭が映像製作者が作成したシーンの冒頭であるとは限らない。
【００１７】
例えば、デコード及び再生を開始したい映像フレームがデジタルデータ３０２のＢ３ピクチャであった場合、Ｂ３ピクチャのデータから、正しくデコードし再生することはできない。すなわち、Ｂ３ピクチャはＰ１及びＰ２ピクチャとの相関を利用してデータ圧縮されており、また、Ｐ２ピクチャはＰ１ピクチャとの相関を利用してデータ圧縮され、Ｐ１ピクチャはＩ１ピクチャとの相関を利用してデータ圧縮されている。このため、Ｂ３ピクチャを正しくデコードするためにはＩ１ピクチャからデコードを行う必要がある。
【００１８】
しかし、ユーザが視聴を所望する映像はＢ３ピクチャからであり、Ｉ１ピクチャからのデコード及び再生を行うと、ユーザは所望していない映像から視聴しなければならないこととなる。
【００１９】
そこで、本実施形態では、次のように所望する映像フレームを特定し、特定した映像フレームから再生することとする。
【００２０】
ユーザは、映像を早送りあるいは通常速度で再生している途中で、操作部１０６を操作して、例えば再生を所望するシーンの開始点を指示する。システム制御部１０５は、指示された映像フレームを特定する情報を再生フレーム管理部１０８より取得し、その情報を映像の管理ファイル情報の１つとしてＨＤＤ１０７へ記録する。シーンの終了点についても同様である。  
このようにして所望シーンを設定した後、映像の前記所望シーンを再生する場合、ユーザは操作部１０６を操作して再生を指示する。シーン再生指示を受けたシステム制御部１０５は、ＨＤＤ１０７に記録した映像の管理ファイルからシーンの開始フレーム及び終了フレームを特定する情報を取得し、取得した開始フレームを含むデジタルデータをＧＯＰの先頭より再生し、再生したデータをＨＤＤ１０７から多重分離部１０２へ出力するように制御する。
【００２１】
多重分離部１０２で分離された映像パケットはデコーダ１０３でデコードを行う。このとき、デコーダ１０３はバッファ１０４を用いてデコードを行う。デコードはＧＯＰの先頭であるＩピクチャから行う。システム制御部１０５は、開始フレームを再生フレーム管理部１０８へ指示し、再生フレーム管理部１０８はデコーダ１０３を制御して開始フレームの映像がデコードされた時点で再生表示指示を行う。この再生表示指示を受けたデコーダ１０３は、デコードした映像を表示用バッファへ移動して映像表示を行う。また、終了フレームまでデコードし再生表示すると、システム制御部１０５はＨＤＤ１０７からのデータの読み出し停止指示を行い、デコード及び再生表示を停止する。
【００２２】
以上のようにして、ユーザが所望するシーンがＩ，Ｐ，Ｂピクチャの如何にかかわらず、指定されたピクチャ映像から正しく再生表示することができる。ここで、所望するシーンの先頭となる映像フレームが、Ｉピクチャに続くＢピクチャの場合（図３のデジタルデータ３０２の例ではＢ−２，Ｂ−１，Ｂ０，Ｂ６，Ｂ７，Ｂ８）、そのＢピクチャを正しくデコードするためには、当該Ｂピクチャが含まれるＧＯＰの１つ前のＧＯＰからデコードする必要がある。このような場合、デジタルデータをＨＤＤ１０７より読み出す情報として、当該ＧＯＰの１つ前のＧＯＰをその情報とする。所望するシーンの最終映像フレームまでの再生は、終了フレームを含む当該ＧＯＰを読み出してデコードし再生すればよい。
【００２３】
図４は、デジタルデータのファイル管理の例を説明する図である。図４において、４０１はＨＤＤ１０７に記録される映像コンテンツであるデジタルデータである。４０２はデジタルデータ４０１の構成例であり、記録されるＨＤＤ１０７上の位置（例えばアドレスや、トラック番号・セクタ番号など）を管理する単位のデジタルデータを示している。４０３はデジタルデータ４０１を管理するコンテンツ管理情報である。デジタルデータ４０１は、記録位置を管理する単位ごとに、その記録位置とともにコンテンツ管理情報４０３で管理しており、その記録単位は、構成例４０２で示すように１つ以上のＧＯＰ単位である。
【００２４】
このように管理することで、所望するシーンの映像フレーム、当該映像フレームをデコード及び再生するに必要なＧＯＰ、当該ＧＯＰをＨＤＤ１０７より読み出すための記録位置をファイル情報として管理し、所望の映像フレームからの再生表示が可能となる。
【００２５】
次に、映像フレームの特定方法について説明する。ＭＰＥＧ方式のＩ，Ｐ，Ｂピクチャからなるデジタルデータの場合、Ｉ，ＰピクチャにはＰＴＳ（Presentation Time Stamp）とＤＴＳ（Decoding Time Stamp）が、ＢピクチャにはＤＴＳが付加されパケット化される。また、基準時刻情報として別途多重されるＰＣＲ（Program Clock Reference）を用いてシステムの基準となるＳＴＣ（System Time Clock）が再生される。
【００２６】
このＳＴＣを基準とし、ＤＴＳによりデコードする時間を管理することができる。また、ＰＴＳによって再生表示する時間を管理することができる。これらを別々に管理するのは、図３の３０２に示すようにデコード処理の順と表示順とが異なるためである。このように、各ピクチャデータには夫々の時間情報が付加されているので、この時間情報を映像フレームの特定に用いることができる。また、別の方法として、ＧＯＰやその中の映像フレームに番号を付与し、付与した番号により映像フレームを特定することができる。
【００２７】
図５は、映像コンテンツから所望する２つのシーンを指定し、それを連続して再生する場合の処理を説明する図である。それぞれのシーンの開始フレーム、終了フレームを指示する方法は前述までと同様である。
【００２８】
図５に示すように、シーン１とシーン２を連続して再生・表示する場合、シーン１の終了フレームまでの再生は前述の再生・表示処理と同じである。シーン１の終了フレームまでを表示したところで、システム制御部１０５はＨＤＤ１０７からシーン１の当該ＧＯＰを読み出すことを終了し、シーン２の開始フレームを含むＧＯＰの読み出しを開始する。読み出されたＧＯＰデータは多重分離部１０２を経てデコーダ１０３でデコードする。  デコードに際しては、バッファ１０４のデコード用領域を用いて行い、表示バッファ領域には、シーン２の開始フレーム映像がデコードされるまでシーン１の終了フレームの映像を保持したままとする。シーン２の開始フレーム映像のデコードが完了した段階で開始映像を表示用バッファに移動して表示を行う。このようにすることで、シーン１の終了フレーム映像から、シーン２の開始フレーム映像に所望しない映像を挟みこむことなく表示することができる。
【００２９】
図６は、デジタルデータのファイル管理の他の例を説明する図である。図６において、図４と同一のものには同一符号を付して説明は省略する。図６において、６０３はデジタルデータ４０１を管理するコンテンツ管理情報である。デジタルデータ４０１は、記録位置を管理する単位ごとに、その記録位置とともにコンテンツ管理情報６０３で管理しており、その記録単位は、構成例４０２で示すように１つ以上のＧＯＰ単位である。本コンテンツ管理情報が、図４のそれと異なるのは、シーンの開始点及び終了点で管理するのでなく、全てシーンを開始点として管理する点である。
【００３０】
図７は、映像コンテンツのシーン設定の例を説明する図である。ユーザの所望するシーンは図５の例の場合と同様にシーン１とシーン３であり、シーン２は所望しないシーンである。この例の場合、シーンの開始フレームから次のシーンの開始フレームの１フレーム前までを１つのシーンとして管理する。シーンの再生動作は、次のシーンの開始フレームの１つ前のフレームを終了フレームとして扱うこととすることが異なる以外、図４に示した管理方法と同じである。
【００３１】
以上説明したように、本実施形態によれば、ユーザが所望するシーンを映像フレーム単位で指定して管理することができる。また、再生に際しては、指定された映像フレームのピクチャデータを、それが正しくデコードできるＧＯＰの先頭からデコードし、表示は、指定された映像フレームから行うことができる。このため、指定された映像フレームの圧縮形式によらず、所望する映像フレームからのみ表示することができる。また、シーン指定を複数行って、それらを連続して再生する場合でも、所望しない映像を表示することなく、表示を行うことができる。
【００３２】
図８は、本発明の他の実施形態を説明する図である。図１と同一のものには同一符号を付して説明を省略する。図１の例と異なるのは、ファイル分割管理部８０９を備えた点である。以下、ファイル分割管理部８０９によるファイル分割管理について説明する。
【００３３】
ユーザが所望するシーン（この例の場合は分割を所望するシーン）を指定するところまでは、図１の実施形態と同様である。ファイル分割を行った場合、図１の例で動作説明で示したようにＧＯＰの途中のピクチャフレームから映像再生するには、当該ＧＯＰの先頭ピクチャからデコードする必要がある。したがって、ＧＯＰ内のピクチャフレーム、例えば、図３の３０１に示すＢ５ピクチャとＰ２ピクチャの間で分割する場合、その分割された両方のファイル（分割後の前側ファイル、及び後ろ側ファイル）において、それぞれＢ５ピクチャまでおよびＰ２ピクチャから正しくデコードして再生できるように分割しなければならない。このためには、Ｂ５ピクチャまでの前側ファイル（分割後の前側ファイル）及びＰ２ピクチャからの後ろ側ファイル（分割後の後ろ側ファイル）には、３０２で示すＧＯＰデータＩ１〜Ｂ５が存在しなければならないことになる。
【００３４】
このため、ファイル分割管理部８０９は、ファイル分割する場合に、分割ポイントを含むＧＯＰデータを分割ポイントの前側ファイルにも、後ろ側ファイルにも含むように管理ファイル情報を操作する。また、分割ポイントを含むＧＯＰデータは前記何れかのファイルを不要として削除した場合には、残るファイルに含まれる情報として、削除は行わない。
【００３５】
以上説明したように、本実施形態によれば、図１に示す例と同様に、視聴者が所望するシーンを、映像フレーム単位で指定して管理できる。また、再生に際しては、指定された映像フレームのピクチャデータをそれが正しくデコードできるＧＯＰ先頭からデコードし、表示は指定された映像フレームから行うことができる。このため、指定映像フレームの圧縮形式によらず、所望する映像フレームから表示できる。また、シーン指定を複数行って、それらを連続再生する場合でも、所望しない映像を表示することなく、再生を行うことができる。さらに、本実施形態では、ファイルの分割を行った場合、その分割ポイントを含むＧＯＰを分割した後の両方のファイル（分割後の前側ファイル及び後ろ側ファイル）に含まれるように管理するので、それぞれのファイルを単独で再生しても、ユーザが所望するとおり正しく再生表示することが可能となる。
【００３６】
図９は、本発明のさらに他の実施形態を説明する図である。図８の例と同一のものには同一符号を付し、説明を省略する。図８の例と異なるのは、ファイル分割管理部８０９の代わりに、ファイル分割処理部９０９を備えた点である。以下、ファイル分割処理について説明する。
【００３７】
ユーザが所望するシーン（分割を所望するシーン）を指定するところまでは、図８の例と同様である。図８の例で示したように、ＧＯＰの途中のピクチャフレームから表示するには、当該ＧＯＰの先頭ピクチャからデコードする必要がある。したがって、ＧＯＰの途中のピクチャフレーム、例えば、図３の３０１に示すＢ５ピクチャとＰ２ピクチャの間で分割しようとした場合、その分割された両方のファイル（分割後の前側ファイル、及び後ろ側ファイル）において、それぞれＢ５ピクチャまでおよびＰ２ピクチャから正しくデコードして再生できるように分割しなければならない。このためには、Ｂ５ピクチャまでの前側ファイル（分割後の前側ファイル）及びＰ２ピクチャからの後ろ側ファイル（分割後の後ろ側ファイル）には、３０２で示すＧＯＰデータＩ１〜Ｂ５が存在しなければならないことになる。
【００３８】
ファイル分割処理部９０９は、ファイル分割する場合に、分割ポイントを含むＧＯＰデータを分割ポイントの前側ファイルにも、後ろ側ファイルにも含むようにデータ複製を行って、管理ファイル情報を操作する。この場合、複製によって同一のデータが２つ存在することになる。なお、コンテンツの著作権等の保護の観点から、複製が同時に存在してよいのは、例えば１分以内の重なりとされている。このため、例えば１ＧＯＰの長さを０．５秒、分割ポイントにおけるＧＯＰのコピーは１つとした場合、１つの映像コンテンツで可能な分割数は１２０ポイントまでとなる。
【００３９】
また、分割によって重なりを生じたコンテンツの重なり長は分割後も管理するため、分割ファイルのファイル管理情報に継承して管理する。これは、ＡというコンテンツをＡ１とＡ２に分割し、さらにＡ１をＡ１１とＡ１２に分割した場合に、Ａ１１、Ａ１２の管理ファイルのみでなく、Ａ２の管理ファイルへも継承することを意味する。
【００４０】
以上説明したように、本実施形態によれば、前述の例と同様に、視聴者が所望するシーンを、映像フレーム単位で指定して管理できる。また、再生に際しては、指定された映像フレームのピクチャデータをそれが正しくデコードできるＧＯＰ先頭からデコードし、再生・表示は指定された映像フレームから表示することができる。このため、指定映像フレームの圧縮形式によらず、所望する映像フレームのみ表示できる。また、シーン指定を複数行って、それらを連続再生する場合でも、所望しない映像を表示することなく、映像再生を行うことができる。さらに、本実施形態では、ファイルの分割を行った場合、その分割ポイントを含むＧＯＰを分割した後の両方のファイル（分割後の前側ファイル及び後ろ側ファイル）に含まれるように管理するので、それぞれのファイルを単独で再生しても、ユーザが所望するとおり正しく再生表示することが可能となる。さらに、本実施形態では、ファイルの分割を行い、その分割ポイントを含むＧＯＰを分割した両方のファイルに含まれるよう複製して管理するので、それぞれをを単独で再生しても、ユーザが所望するとおり正しく再生表示することが可能となる。
【図面の簡単な説明】
【００４１】
【図１】本発明の実施形態に係るデジタル記録再生装置を説明する図である。
【図２】ＭＰＥＧ方式によるデータ圧縮・デコードを説明する図である。
【図３】フレームデータの送信順序の並び替えを説明する図である。
【図４】デジタルデータのファイル管理の例を説明する図である。
【図５】映像コンテンツから所望する２つのシーンを指定し、それを連続して再生する場合の処理を説明する図である。
【図６】デジタルデータのファイル管理の他の例を説明する図である。
【図７】映像コンテンツのシーン設定の例を説明する図である。
【図８】本発明の他の実施形態を説明する図である。
【図９】本発明のさらに他の実施形態を説明する図である。
【符号の説明】
【００４２】
１０１  パケット形式デジタルデータ入力端子
１０２  多重分離部
１０３  デコーダ
１０４  バッファ
１０５  システム制御部
１０６  操作部
１０７  ＨＤＤ
１０８  再生フレーム管理部
２０１，２１２  Ｉピクチャ
２０４，２０８  Ｐピクチャ
２０２，２０３，２０５，２０６，２０７，２０９，２１０，２１１  Ｂピクチャ
３０１  符号化されたデジタルデータ
３０２  伝送用にピクチャ順序を入れ替えたデジタルデータ
８０９  ファイル分割管理部
９０９  ファイル部活処理部
【図１】
2006049988.tif 000003
【図２】
2006049988.tif 000004
【図３】
2006049988.tif 000005
【図４】
2006049988.tif 000006
【図５】
2006049988.tif 000007
【図６】
2006049988.tif 000008
【図７】
2006049988.tif 000009
【図８】
2006049988.tif 000010
【図９】
2006049988.tif 000011